(57)【要約】　　　（修正有）【課題】洋傘のフレーム強度を極めて強くするためのもっとも簡単な構造を持つ補助装置、および補助装置を傘フレーム組み込んだ一体型の洋傘を提供する。【解決手段】取り外しが効く補助装置の場合、チューブ状の補助装置１７を傘の先端部分から主フレーム部９に通し、補助装置の左端が主フレームと下部骨リブ１０との交点ピボット１１を十分に被うように取り付け、補助装置の右端を傘布を保持するための止めキャップ１６で押し付けるようにして両側からサンドイッチするように固定する。【選択図】　　図１
0003098564.tif 000002
【実用新案登録請求の範囲】
【請求項１】
以下条件を特徴とする補助装置。（あ）　フレームの先端付近から張り骨と主フレームの交点までを被うことのできる機能を持つ、十分強度を伴う管状の素材。例えば、円柱管状の素材。
【請求項２】
（い）　（あ）と同様の素材で、その交点部分をサポートしたり、保護する機能を持つもの。
【請求項３】
（あ）と（い）の場合の変型を伴うもの。
【請求項４】
この補助装置と同じ機能を持つようにデザインを変えて作った主フレーム構造を持つ洋傘、および補助装置を組み込んで一体型にした洋傘。
【考案の詳細な説明】
【０００１】
【考案の属する技術分野】
本考案は、バックミンスターフラーのテンセグリティー原理に基づく、最も簡単な傘強度をあげるための補助装置に関する。
【０００２】
【従来の技術】
従来の洋傘の原理は、傘フレーム（骨部）が、Ｕ字型あるいは円形の一本のロッドを基本にしている。そのため、強風の際には、フレームが歪曲したり、折れたり、おちょこ型になったりして、強度が十分でなく、多くの場合には、傘のフレーム自体が簡単に折れてしまうという難点を持つ。その場合に、特に傘フレームが折れやすいのは、開閉のための張りフレームと主フレームを連結するピボットよりも外側にあるフレームの先のリブ部分である。そのために、従来の傘の最大の致命的弱点はこのリブ部分が風によって折れてしまうという難点である。
【０００３】
【考案が解決しようとする課題】
本発明が解決しようとする課題は、傘の主フレームの強度を十分に強くするために、バックミンスター・フラーのテンセグリティー原理に基づく構造を考え、その中でもっとも簡単な構造を持つ補助装置、およびこの補助装置を取り付けた洋傘を提供することを目的とする。
【０００４】
【課題を解決するための手段】
上記の目的を達成するために、本発明は、以下を特徴とする傘の強度を増すための補助装置を提案する（図１参照。）。（あ）フレームの先端付近から張り骨と主フレームの交点までのリブ部を被うことのできる機能を持ち、（い）十分な強度を伴うチューブ（管）状の素材（例えば、円柱管など。図３参照。）で、（う）その交点部分をサポートしたり、保護する機能を持つもの。（え）あるいは、この補助装置と同じ機能を持つようにデザインを変えて作った主フレーム構造を持つ洋傘（図４参照。）。
【０００５】
【考案の実施形態】
図１は、補助装置がついた洋傘を開いた状態を示している縦断面図である。図２は、補助装置のない普通の洋傘を開いた状態を示している縦断面図である。図３は、補助装置の概念図である。図４は、補助装置部を洋傘の主フレームに組み込んだフレーム構造を持つ洋傘の概念図である。
【０００６】
本考案は、基本的に（あ）着脱型と（い）一体型の２つのカテゴリーに区別される。第一のカテゴリーでは、図３にあるように、固い材質でできたチューブ状の補助装置で、差し込み式に着脱可能な補助装置である。これを、傘の主フレームの先端部１３を傘布を固定する分だけの余裕を残し、そこから下部骨（リブ）１０と上部骨９の交差点１１までを管状の補助装置に通して使用する。その際、補助装置の左端部を十分に交差ピボット部１１のサポート１２を保護するようにきっちりとはめ込み、補助装置のもう一方の右端は傘布のフレーム先端部の留めキャップ１６によって内側に押し付けられるようにする（図１参照。）。
【０００７】
第二のカテゴリーでは、まず固い材質でできたチューブ状の補助装置を傘の主フレームの先端部１３から下部骨（リブ）１０と上部骨９の交差点１１の左側まで通す。次に、その交差ピボットの位置で補助装置をピボット連結サポート１２と固定する（図４参照。）。これにより、既存の傘のフレーム構造を残したまま、本考案の補助装置を取り付ける作業だけ追加する形式で、組み立てを行うことができる。
【０００８】
【考案の効果】
以上説明したように、本発明は、一般的な汎用洋傘の基本構造が持つ弱点である、強風に対する強度を極めて増大するための補助装置関するものである。この補助装置を既存の洋傘に取り付けることにより、既存の傘の組み立て工法を温存したまま、強風にも耐えるだけの十分な強度を持った傘を提供できる。そして、個人用の洋傘のみだけでなく、ビーチパラソルなど大型の洋傘へも応用できる。
【図面の簡単な説明】
【図１】補助装置がついた洋傘を開いた状態を示している縦断面図である。
【図２】補助装置のない普通の洋傘を開いた状態を示している縦断面図である。
【図３】補助装置の概念図である。
【図４】補助装置部を洋傘の主フレームに組み込んだフレーム構造を持つ洋傘の概念図である。
【符号の説明】
１　傘軸の先端部
２　上部ろくろ（固定）
３　上部ろくろの内部にあるピボット
４　下部ろくろの内部にあるピボット
５　下部ろくろ（可動式、つめ穴付）
６　上部つめ
７　中央軸
８　下部つめ
９　上部骨（主フレーム）
１０　下部骨（リブ）
１１　交差ピボット
１２　ピボット連結サポート
１３　傘軸の先端部
１４　傘布の固定ろくろ
１５　傘布（点線）
１６　傘布の止めキャップ
１７　補助装置
１８　円管状補助装置
１９　交差サポートのために取り込みがついた円管状補助装置
２０　交差サポートのために装飾がついた円管状補助装置
２１　Ｕ字型フレームに合わせた円管状補助装置
２２　主フレーム一体型の円管状補助装置が組み込まれた洋傘
【図１】
0003098564.tif 000003
【図２】
0003098564.tif 000004
【図３】
0003098564.tif 000005
【図４】
0003098564.tif 000006
【手続補正書】
【提出日】平成15年2月26日(2003.2.26)
【手続補正１】
【補正対象書類名】明細書
【補正対象項目名】実用新案登録請求の範囲
【補正方法】変更
【補正の内容】
【実用新案登録請求の範囲】
【請求項１】
従来の洋傘の持つ、Ｕ字型（あるいは円形）の一本ロッド状傘フレーム（骨部）において、
（あ）フレームの露先にある傘布止め具付近から張り骨と主フレームの交点まで主フレームを被う目的ではめ込まれた中空状の補助装置（図１、図３参照。）、およびこの補助装置を装着した洋傘。
【請求項２】
従来の洋傘の持つ、Ｕ字型（あるいは円形）の一本ロッド状傘フレーム（骨部）において、
（い）フレームの露先にある傘布止め具付近から張り骨と主フレームの交点まで主フレームを被う目的ではめ込まれた中空状の補助装置で、さらに中空状カバーがその交点部分をサポートしたり、保護する機能を持つ補助装置（図３、図４参照。）、およびこの補助装置を装着した洋傘。
【請求項３】
（あ）と（い）の場合の変型を伴う補助装置、およびこの場合の補助装置を装着した洋傘。
【請求項４】
（あ）あるいは（い）の補助装置と同じ機能を持つようにデザインを変えて作った主フレーム構造を持つ洋傘。
【手続補正書】
【提出日】平成15年5月12日(2003.5.12)
【手続補正１】
【補正対象書類名】明細書
【補正対象項目名】実用新案登録請求の範囲
【補正方法】変更
【補正の内容】
【実用新案登録請求の範囲】
【請求項１】
洋傘の持つ、Ｕ字型あるいは円型の一本ロッド状の傘フレームにおいて、フレームの露先にある傘布止め具付近から張り骨と主フレームの点まで主フレームを被う状態ではめ込まれた管状の補助装置を装着した洋傘。
【請求項２】
洋傘の持つ、Ｕ字型あるいは円型の一本ロッド状の傘フレームにおいて、フレームの露先にある傘布止め具付近から張り骨と主フレームの交点まで主フレームを被う状態ではめ込まれた管状の補助装置で、さらに管状カバーがその交点部分をサポートしたり、保護する機能を持つ補助装置を装着した洋傘。
【請求項３】
上記管状の補助装置に穴を開けたりあるいは器具を取り付けた補助装置を装着した請求項１の洋傘または請求項２の洋傘。
【請求項４】
請求項１の洋傘あるいは請求項２の洋傘をビーチパラソルやガーデンパラソルのような大型のものとした洋傘。